(57)【要約】【課題】  ソース機器からのＨＤＭＩデータをディスプレイ装置にスルーする必要がない場合に、スタンバイ時の消費電力を低減することができるＡＶアンプを提供すること。【解決手段】  制御部２４は、ＡＶアンプがスタンバイ状態の時にＡＶアンプがＤＶＤプレーヤからＨＤＭＩデータを受信しディスプレイ装置に送信する必要がないと判断すると、ＨＤＭＩ受信部、ＨＤＭＩ送信部に電源電圧を供給しない第１スタンバイ状態に移行させ、消費電力をより低減することができる。一方、制御部２４は、ＡＶアンプがスタンバイ状態の時にＡＶアンプがＤＶＤプレーヤからＨＤＭＩデータを受信しディスプレイ装置に送信する必要があると判断すると、ＨＤＭＩ受信部、ＨＤＭＩ送信部に電源電圧を供給する第２スタンバイ状態に移行させる。従って、第１スタンバイ状態よりは諸費電力が増えるが、ＨＤＭＩデータをスルーすることができる。【選択図】図４
2011087066.tif 000002
【特許請求の範囲】
【請求項１】
コンテンツ送信装置と、コンテンツ受信装置とが接続可能なコンテンツ送受信装置であって、
前記コンテンツ送信装置からコンテンツを受信する受信手段と、
前記コンテンツ受信装置にコンテンツを送信する送信手段と、
前記コンテンツ送受信装置がスタンバイ状態の時に前記コンテンツ送受信装置が前記コンテンツ送信装置からコンテンツを受信し前記コンテンツ受信装置に送信する必要があるか否かを判断する判断手段と、
前記コンテンツ送受信装置がスタンバイ状態に移行する際に、前記コンテンツ送受信装置がスタンバイ状態の時に前記コンテンツ送受信装置が前記コンテンツ送信装置からコンテンツを受信し前記コンテンツ受信装置に送信する必要がないと判断された場合、前記受信手段および前記送信手段に電源電圧を供給しない第１スタンバイ状態に移行させ、前記コンテンツ送受信装置がスタンバイ状態の時に前記コンテンツ送受信装置が前記コンテンツ送信装置からコンテンツを受信し前記コンテンツ受信装置に送信する必要があると判断された場合、前記受信手段および前記送信手段に電源電圧を供給する第２スタンバイ状態に移行させるスタンバイ制御手段とを備える、コンテンツ送受信装置。
【請求項２】
前記判断手段が、前記コンテンツ送信装置から前記コンテンツ送受信装置に電源電圧が供給されているか否かを判断し、前記コンテンツ送信装置から電源電圧が供給されていない場合に、前記コンテンツ送受信装置がスタンバイ状態の時に前記コンテンツ送受信装置が前記コンテンツ送信装置からコンテンツを受信し前記コンテンツ受信装置に送信する必要がないと判断する、請求項１に記載のコンテンツ送受信装置。
【請求項３】
前記判断手段が、前記コンテンツ送信装置から前記受信手段にデータが供給されているか否かを判断し、前記コンテンツ送信装置からデータが供給されていない場合に、前記コンテンツ送受信装置がスタンバイ状態の時に前記コンテンツ送受信装置が前記コンテンツ送信装置からコンテンツを受信し前記コンテンツ受信装置に送信する必要がないと判断する、請求項１または２に記載のコンテンツ送受信装置。
【請求項４】
前記判断手段が、前記コンテンツ送信装置から前記コンテンツ送受信装置に送信されるメッセージに基づいて、前記コンテンツ送信装置がアクティブであるか否かを判断し、前記コンテンツ送信装置がアクティブである場合に、前記コンテンツ送受信装置がスタンバイ状態の時に前記コンテンツ送受信装置が前記コンテンツ送信装置からコンテンツを受信し前記コンテンツ受信装置に送信する必要があると判断する、請求項１〜３のいずれかに記載のコンテンツ送受信装置。
【請求項５】
前記判断手段が、前記コンテンツ送信装置から前記コンテンツ送受信装置に送信されるメッセージに基づいて、前記コンテンツ送信装置がコンテンツを再生中であるか否かを判断し、前記コンテンツ送信装置がコンテンツを再生中である場合に、前記コンテンツ送受信装置がスタンバイ状態の時に前記コンテンツ送受信装置が前記コンテンツ送信装置からコンテンツを受信し前記コンテンツ受信装置に送信する必要があると判断する、請求項１〜４のいずれかに記載のコンテンツ送受信装置。
【請求項６】
前記判断手段が、前記コンテンツ送信装置から前記コンテンツ送受信装置に送信されるメッセージに基づいて、前記コンテンツ送信装置がアクティブであるか否か、および、前記コンテンツ送信装置がコンテンツを再生中であるか否かを判断し、前記コンテンツ送信装置がアクティブでなく、かつ、コンテンツを再生中でない場合に、前記コンテンツ送受信装置がスタンバイ状態の時に前記コンテンツ送受信装置が前記コンテンツ送信装置からコンテンツを受信し前記コンテンツ受信装置に送信する必要がないと判断する、請求項１〜５のいずれかに記載のコンテンツ送受信装置。
【請求項７】
前記コンテンツ送信装置が接続可能な複数の入力端子と、
前記複数の入力端子の中から前記受信手段がコンテンツを受信する前記入力端子を選択する選択手段とをさらに備え、
前記判断手段が、前記選択手段によって選択されている前記入力端子に接続されている前記コンテンツ送信装置のみについて、前記コンテンツ送受信装置がスタンバイ状態の時に前記コンテンツ送受信装置が前記コンテンツ送信装置からコンテンツを受信し前記コンテンツ受信装置に送信する必要があるか否かを判断する、請求項１〜６のいずれかに記載のコンテンツ送受信装置。
【請求項８】
請求項１〜７のいずれかに記載のコンテンツ送受信装置における前記判断手段および前記スタンバイ制御手段をコンピュータに実行させる、コンテンツ送受信プログラム。
【発明の詳細な説明】
【技術分野】
【０００１】
本発明は、コンテンツ送受信装置およびそのプログラムに関する。
【背景技術】
【０００２】
ＤＶＤ（又はＢＤ）プレーヤと、ＡＶアンプと、ディスプレイ装置とを備えるコンテンツ送受信システムが利用されている。ＤＶＤプレーヤは、ＤＶＤディスクに記録されているコンテンツデータを再生し、ＨＤＭＩデータに変換し、ＡＶアンプに送信する。ＡＶアンプは、コンテンツデータに含まれる音声データに音声処理を実行し、スピーカーから音声を出力する。ＡＶアンプは、映像データをＨＤＭＩデータに変換し、ディスプレイ装置に送信する。ディスプレイ装置は、ＡＶアンプから供給された映像データに映像処理を実行し、表示する。
【０００３】
ディスプレイ装置がスピーカーを備えており、ユーザが、ＡＶアンプに接続されているスピーカーから音声を再生する状態から、ディスプレイ装置が備えるスピーカーから音声を再生する状態に変更を希望する場合、ユーザ作業によって、ＤＶＤプレーヤを、ＡＶアンプを介さずにディスプレイ装置に直接接続するように接続を変更する必要があり、この作業が非常に煩雑である。この問題を解決するために、ユーザ作業によって接続を変更することなく、単にＡＶアンプをスタンバイ状態（このスタンバイ状態は、ＨＤＭＩデータをスルーするために、ＨＤＭＩ受信部やＨＤＭＩ送信部には電源電圧が供給される。）に移行させることにより、ＡＶアンプがＤＶＤプレーヤから送信されるＨＤＭＩデータをディスプレイ装置にスルーすることが提案されている（例えば、特許文献１）。しかし、ＡＶアンプをスタンバイ状態にする際に、必ずしもＤＶＤプレーヤからのＨＤＭＩデータをディスプレイ装置にスルーする必要があるとは限らず、スルーする必要がないときには、スタンバイ状態においてＨＤＭＩ受信部やＨＤＭＩ送信部に電源電圧が供給される分、無駄な消費電力が発生するという問題がある。
【先行技術文献】
【特許文献】
【０００４】
【特許文献１】特開２００７−１２４４６９号公報
【発明の概要】
【発明が解決しようとする課題】
【０００５】
本発明は上記従来の課題を解決するためになされたものであり、その目的は、スタンバイ状態になることによりコンテンツ送信装置からのコンテンツをコンテンツ受信装置にそのまま送信するコンテンツ送受信装置において、コンテンツ送信装置からのコンテンツをコンテンツ受信装置に送信する必要がない場合には、スタンバイ時の消費電力を低減することができるコンテンツ送受信装置を提供することである。
【課題を解決するための手段】
【０００６】
本発明の好ましい実施形態によるコンテンツ送受信装置は、コンテンツ送信装置と、コンテンツ受信装置とが接続可能なコンテンツ送受信装置であって、前記コンテンツ送信装置からコンテンツを受信する受信手段と、前記コンテンツ受信装置にコンテンツを送信する送信手段と、前記コンテンツ送受信装置がスタンバイ状態の時に前記コンテンツ送受信装置が前記コンテンツ送信装置からコンテンツを受信し前記コンテンツ受信装置に送信する必要があるか否かを判断する判断手段と、前記コンテンツ送受信装置がスタンバイ状態に移行する際に、前記コンテンツ送受信装置がスタンバイ状態の時に前記コンテンツ送受信装置が前記コンテンツ送信装置からコンテンツを受信し前記コンテンツ受信装置に送信する必要がないと判断された場合、前記受信手段および前記送信手段に電源電圧を供給しない第１スタンバイ状態に移行させ、前記コンテンツ送受信装置がスタンバイ状態の時に前記コンテンツ送受信装置が前記コンテンツ送信装置からコンテンツを受信し前記コンテンツ受信装置に送信する必要があると判断された場合、前記受信手段および前記送信手段に電源電圧を供給する第２スタンバイ状態に移行させるスタンバイ制御手段とを備える。
【０００７】
スタンバイ制御手段は、コンテンツ送受信装置がスタンバイ状態の時にコンテンツ送受信装置がコンテンツ送信装置からコンテンツを受信しコンテンツ受信装置に送信する必要がないと判断された場合、受信手段および送信手段に電源電圧を供給しない第１スタンバイ状態に移行させる。従って、受信手段および送信手段に電源電圧が供給されないので、消費電力を低減することができる。一方、スタンバイ制御手段は、コンテンツ送受信装置がスタンバイ状態の時にコンテンツ送受信装置がコンテンツ送信装置からコンテンツを受信しコンテンツ受信装置に送信する必要があると判断された場合、受信手段および送信手段に電源電圧を供給する第２スタンバイ状態に移行させる。従って、受信手段および送信手段に電源電圧が供給されるので、スタンバイ状態であるにもかかわらず、コンテンツ送信装置からのコンテンツをコンテンツ受信装置に送信することができる。
【０００８】
好ましい実施形態においては、前記判断手段が、前記コンテンツ送信装置から前記コンテンツ送受信装置に電源電圧が供給されているか否かを判断し、前記コンテンツ送信装置から電源電圧が供給されていない場合に、前記コンテンツ送受信装置がスタンバイ状態の時に前記コンテンツ送受信装置が前記コンテンツ送信装置からコンテンツを受信し前記コンテンツ受信装置に送信する必要がないと判断する。
【０００９】
コンテンツ送信装置から電源電圧が供給されない場合、コンテンツ送信装置はスタンバイ状態である、又は、完全電源オフ状態であると考えられるので、コンテンツ送受信装置がコンテンツ送信装置からコンテンツを受信しコンテンツ受信装置に送信する必要がないと判断することができる。
【００１０】
好ましい実施形態においては、前記判断手段が、前記コンテンツ送信装置から前記受信手段にデータが供給されているか否かを判断し、前記コンテンツ送信装置からデータが供給されていない場合に、前記コンテンツ送受信装置がスタンバイ状態の時に前記コンテンツ送受信装置が前記コンテンツ送信装置からコンテンツを受信し前記コンテンツ受信装置に送信する必要がないと判断する。
【００１１】
コンテンツ送信装置からデータ（特に限定されないが例えばＨＤＭＩデータ）が供給されない場合、コンテンツ送信装置はスタンバイ状態である、又は、完全電源オフ状態であると考えられるので、コンテンツ送受信装置がコンテンツ送信装置からコンテンツを受信しコンテンツ受信装置に送信する必要がないと判断することができる。
【００１２】
好ましい実施形態においては、前記判断手段が、前記コンテンツ送信装置から前記コンテンツ送受信装置に送信されるメッセージに基づいて、前記コンテンツ送信装置がアクティブであるか否かを判断し、前記コンテンツ送信装置がアクティブである場合に、前記コンテンツ送受信装置がスタンバイ状態の時に前記コンテンツ送受信装置が前記コンテンツ送信装置からコンテンツを受信し前記コンテンツ受信装置に送信する必要があると判断する。
【００１３】
好ましい実施形態においては、前記判断手段が、前記コンテンツ送信装置から前記コンテンツ送受信装置に送信されるメッセージに基づいて、前記コンテンツ送信装置がコンテンツを再生中であるか否かを判断し、前記コンテンツ送信装置がコンテンツを再生中である場合に、前記コンテンツ送受信装置がスタンバイ状態の時に前記コンテンツ送受信装置が前記コンテンツ送信装置からコンテンツを受信し前記コンテンツ受信装置に送信する必要があると判断する。
【００１４】
好ましい実施形態においては、前記判断手段が、前記コンテンツ送信装置から前記コンテンツ送受信装置に送信されるメッセージに基づいて、前記コンテンツ送信装置がアクティブであるか否か、および、前記コンテンツ送信装置がコンテンツを再生中であるか否かを判断し、前記コンテンツ送信装置がアクティブでなく、かつ、コンテンツを再生中でない場合に、前記コンテンツ送受信装置がスタンバイ状態の時に前記コンテンツ送受信装置が前記コンテンツ送信装置からコンテンツを受信し前記コンテンツ受信装置に送信する必要がないと判断する。
【００１５】
好ましい実施形態においては、前記コンテンツ送信装置が接続可能な複数の入力端子と、前記複数の入力端子の中から前記受信手段がコンテンツを受信する前記入力端子を選択する選択手段とをさらに備え、前記判断手段が、前記選択手段によって選択されている前記入力端子に接続されている前記コンテンツ送信装置のみについて、前記コンテンツ送受信装置がスタンバイ状態の時に前記コンテンツ送受信装置が前記コンテンツ送信装置からコンテンツを受信し前記コンテンツ受信装置に送信する必要があるか否かを判断する。
【００１６】
この場合、複数の入力端子を備える場合でも、選択されている入力端子に接続されているコンテンツ送信装置の状態に応じて、第１スタンバイ状態に移行すべきか、第２スタンバイ状態に移行すべきかを適切に判断することができる。
【００１７】
本発明の別の局面においては、上記いずれかに記載のコンテンツ送受信装置における前記判断手段および前記スタンバイ制御手段をコンピュータに実行させる、コンテンツ送受信プログラムが提供され得る。
【発明の効果】
【００１８】
本発明によると、スタンバイ状態になることによりコンテンツ送信装置からのコンテンツをコンテンツ受信装置にそのまま送信するコンテンツ送受信装置において、コンテンツ送信装置からのコンテンツをコンテンツ受信装置に送信する必要がない場合には、スタンバイ時の消費電力を低減することができるコンテンツ送受信装置を提供することができる。
【図面の簡単な説明】
【００１９】
【図１】本発明の好ましい実施形態によるＡＶアンプ２０を示すブロック図である。
【図２】ＡＶアンプ２０、ディスプレイ装置４０、ＤＶＤプレーヤ１０Ａ、ＢＤプレーヤ１０Ｂの接続関係および物理アドレスを示すブロック図である。
【図３】ＡＶアンプ２０の制御部２４の処理を示すフローチャートである。
【図４】ＡＶアンプ２０の制御部２４の処理を示すフローチャートである。
【発明を実施するための形態】
【００２０】
以下、本発明の好ましい実施形態によるＤＶＤ（又はＢＤ（Blue Lay Disk））プレーヤ（ソース機器やコンテンツ送信装置ともいう。）、ＡＶアンプ（コンテンツ送受信装置ともいう。）、及び、ディスプレイ装置（コンテンツ受信装置ともいう。）を備えるコンテンツ送受信システムについて、図面を参照して具体的に説明するが、本発明はこれらの実施形態には限定されない。本例において、コンテンツは、映像（画像も含む、以下同様。）データおよび／または音声データ等の総称である。
【００２１】
図１および図２は、ＤＶＤプレーヤ１０Ａ、ＢＤプレーヤ１０Ｂ、ＡＶアンプ２０、ディスプレイ装置４０の構成及び接続関係を示すブロック図である。これらの機器は、例えばＨＤＭＩ規格に準拠しており、ＨＤＭＩケーブルを介して相互に接続されている。ＨＤＭＩケーブルには通信ラインであるＣＥＣラインが含まれており、これらの機器は、ＣＥＣラインを介して相互にコマンド（以下、ＣＥＣメッセージという。）を送受信し、相互に制御することができる。例えば、図２に示すように、ディスプレイ装置４０のＨＤＭＩ入力１（ＩＮ１）にはＡＶアンプ２０のＨＤＭＩ出力１（ＯＵＴ１）が接続されている。ＡＶアンプ２０のＨＤＭＩ入力１（ＩＮ１）にはＤＶＤプレーヤ１０ＡのＨＤＭＩ出力が接続されている。ＡＶアンプ２０のＨＤＭＩ入力２（ＩＮ２）にはＢＤプレーヤ１０ＢのＨＤＭＩ出力が接続されている。
【００２２】
各機器には、コンテンツ送受信システムの接続関係に基づいて、物理アドレスが付与される。物理アドレスは、コンテンツ送受信システムを構成する各機器のツリー構造を示すものであり、主として入力切り換え先を指定するために使用される。最下流（シンク）の機器であるディスプレイ装置４０には、物理アドレス［０．０．０．０．］が付与される。ディスプレイ装置４０の１つ上流側に接続されているＡＶアンプ２０には［１．０．０．０］が付与される。つまり、ディスプレイ装置４０の物理アドレス［０．０．０．０］の一番左の数字が、その機器が接続されているＨＤＭＩ入力の番号に変更されたものが物理アドレスになる。ＡＶアンプ２０の１つ上流側に接続されているＤＶＤプレーヤ１０Ａには［１．１．０．０］、ＢＤプレーヤ１０Ｂには［１．２．０．０］がそれぞれ付与される。つまり、ＡＶアンプ２０の物理アドレス［１．０．０．０］の左から２番目の数字が、ＤＶＤプレーヤ１０Ａ、ＢＤプレーヤ１０Ｂが接続されているＨＤＭＩ入力の番号に変更された［１．１．０．０］、［１．２．０．０］が、ＤＶＤプレーヤ１０Ａ、ＢＤプレーヤ１０Ｂの各物理アドレスになる。
【００２３】
ＤＶＤプレーヤ１０Ａ、ＢＤプレーヤ１０Ｂは、ＤＶＤ（ＢＤ）ディスクから映像データ及び音声データを読み出して、ＨＤＭＩデータに変換し、ＨＤＭＩケーブルを介してＡＶアンプ２０に送信する。ＤＶＤプレーヤ１０Ａ、ＢＤプレーヤ１０Ｂは、ＨＤＭＩケーブルの＋５Ｖ電源ラインを介して＋５Ｖ電源電圧をＡＶアンプ２０に出力する。また、ＤＶＤプレーヤ１０Ａ、ＢＤプレーヤ１０Ｂは、ＣＥＣラインを介して、ＤＶＤプレーヤ１０Ａ、ＢＤプレーヤ１０Ｂ自身がアクティブであるか否か、再生中であるか否かを示すＣＥＣメッセージをＡＶアンプ２０に送信する。
【００２４】
ＡＶアンプ２０は、ＨＤＭＩ受信部２１と、ＨＤＭＩ送信部２２と、音声処理部２３と、制御部２４と、メモリ（ＲＯＭ、ＲＡＭ等）２５と、操作部２６と、表示部２７と、電源部２８と、ＨＤＭＩ入力端子２９Ａ（図２のＨＤＭＩ入力１（ＩＮ１）に対応）と、ＨＤＭＩ入力端子２９Ｂ（図２のＨＤＭＩ入力２（ＩＮ２）に対応）と、ＨＤＭＩ出力端子２９Ｃ（図２のＨＤＭＩ出力１（ＯＵＴ１）に対応）とを有している。
【００２５】
ＨＤＭＩ受信部２１は、ユーザ操作によってインプットセレクタにＨＤＭＩ入力１が選択されている場合、ＨＤＭＩ入力１に接続されているＤＶＤプレーヤ１０ＡからＨＤＭＩデータを受信する。ＨＤＭＩ受信部２１は、ユーザ操作によってインプットセレクタにＨＤＭＩ入力２が選択されている場合、ＨＤＭＩ入力２に接続されているＢＤプレーヤ１０ＢからＨＤＭＩデータを受信する。ＨＤＭＩ受信部２１は、ＤＶＤプレーヤ１０Ａ、又は、ＢＤプレーヤ１０ＢからＨＤＭＩデータを受信すると、受信したＨＤＭＩデータから元の映像データ（ＨＤＭＩ変換前の映像データ）を生成し、ＨＤＭＩ送信部２２に供給する。また、ＨＤＭＩ受信部２１は、受信したＨＤＭＩデータから元の音声データを生成し、音声処理部２３に供給する。
【００２６】
ＨＤＭＩの信号ラインには＋５Ｖ電源ラインが含まれており、ＨＤＭＩ受信部２１は、ＤＶＤプレーヤ１０Ａ、又は、ＢＤプレーヤ１０Ｂから＋５Ｖ電源ラインを介して、＋５Ｖ電源電圧が供給される。ＤＶＤプレーヤ１０Ａ、ＢＤプレーヤ１０Ｂから＋５Ｖ電源電圧が供給されているか否かを判断することによって、ＤＶＤプレーヤ１０Ａ、ＢＤプレーヤ１０Ｂが電源オン状態であるか、スタンバイ状態（又は完全電源オフ状態）であるかを判断することができる。
【００２７】
ＨＤＭＩ送信部２２は、ＨＤＭＩ受信部２１から供給された映像データをＨＤＭＩデータに変換する。ＨＤＭＩ送信部２２は、ＨＤＭＩ出力端子２９Ｃを介してディスプレイ装置４０にＨＤＭＩデータを送信する。
【００２８】
また、ＡＶアンプ２０において音声を再生しない場合には、ＨＤＭＩ受信部２1は、受信したＨＤＭＩデータをそのまま（すなわち、一旦ＨＤＭＩデータを元の映像データ及び音声データに変換することなく）ＨＤＭＩ送信部２２に供給する。ＨＤＭＩ送信部２２は、ＨＤＭＩ受信部２１から供給されたＨＤＭＩデータを、ＨＤＭＩ出力端子２９Ｃを介してそのまま（すなわち、元の映像データ及び音声データをＨＤＭＩデータに変換することなく）ディスプレイ装置４０に供給する。以下、この状態を、ＡＶアンプ２０がＨＤＭＩデータをスルーするということにする。
【００２９】
音声処理部２３は、ＨＤＭＩ受信部２１から供給された音声データに対して、例えば、信号処理、遅延処理、イコライザ処理、音量調整処理、増幅処理、ＤＡ変換等の音声処理を実行し、外部に接続されたスピーカー６０に音声信号を供給する。
【００３０】
制御部２４は、メモリ（ＲＯＭ）２５に記憶されているプログラムに基づいて、ＡＶアンプ２０の各部を制御するものであり、例えば、マイコンやＣＰＵ等である。制御部２４は、ＨＤＭＩのＣＥＣラインを介してＤＶＤプレーヤ１０Ａ、ＢＤプレーヤ１０Ｂ、及び、ディスプレイ装置４０の各制御部に接続されており、各制御部とＣＥＣメッセージを送受信する。
【００３１】
制御部２４は、ユーザ操作によって電源オン状態からスタンバイ状態に移行する指示が入力されると、電源部２８を制御し、ＡＶアンプ２０を電源オン状態からスタンバイ状態に移行させる。スタンバイ状態とは、制御部２４（その周辺回路も含む場合がある）（及び、必要に応じて、ＨＤＭＩ受信部２１およびＨＤＭＩ送信部２２）のみに電源部２８から電源電圧が供給され、その他の部分には電源電圧を供給しない電源オフ状態の一状態である。本実施形態では、スタンバイ状態には、第１スタンバイ状態と、第２スタンバイ状態とが存在する。
【００３２】
第１スタンバイ状態は、制御部２４のみに電源電圧が供給され、ＨＤＭＩ受信部２１及びＨＤＭＩ送信部２２を含むそのほかの部分には電源電圧が供給されない状態である。つまり、第１スタンバイ状態では、消費電力をより削減することができるが、ＨＤＭＩ受信部２１及びＨＤＭＩ送信部２２は動作を実行することができないので、ＡＶアンプ２０はＨＤＭＩデータをスルーすることができず、ＡＶアンプ２０がＨＤＭＩデータをスルーする必要がない場合にこの状態に移行される。
【００３３】
第２スタンバイ状態は、制御部２４、ＨＤＭＩ受信部２１及びＨＤＭＩ送信部２２に電源電圧が供給され、その他の部分には電源電圧が供給されない状態である。つまり、第２スタンバイ状態では、第１スタンバイ状態よりは消費電力が大きくなるものの、ＨＤＭＩ受信部２１及びＨＤＭＩ送信部２２は動作を実行することができるので、ＡＶアンプ２０がＨＤＭＩデータをスルーすることができ、ＡＶアンプ２０がＨＤＭＩデータをスルーする必要がある場合にこの状態に移行される。
【００３４】
制御部２４は、ＡＶアンプ２０がスタンバイ状態の時に、ＡＶアンプ２０がＤＶＤプレーヤ１０Ａ又はＢＤプレーヤ１０Ｂからコンテンツを受信し、ディスプレイ装置４０に送信する必要があるか否かを、以下の手順によって判断する。また、制御部２４は、ＡＶアンプ２０がＤＶＤプレーヤ１０Ａ又はＢＤプレーヤ１０Ｂからコンテンツを受信し、ディスプレイ装置４０に送信する必要がないと判断すると、第１スタンバイ状態に移行させ、ＡＶアンプ２０がＤＶＤプレーヤ１０Ａ又はＢＤプレーヤ１０Ｂからコンテンツを受信し、ディスプレイ装置４０に送信する必要があると判断すると、第２スタンバイ状態に移行させる。
【００３５】
詳細には、制御部２４は、ＤＶＤプレーヤ１０Ａ、ＢＤプレーヤ１０Ｂから＋５Ｖ電源電圧が供給されているか否かを判断することにより、ＤＶＤプレーヤ１０Ａ、ＢＤプレーヤ１０Ｂの電源状態を判断し、スタンバイ状態の時にＨＤＭＩデータをスルーする必要があるか否かを判断する。つまり、ソース機器の種類によっては、ソース機器がスタンバイ状態であっても、＋５Ｖ電源電圧を出力するものが存在するが、少なくとも、＋５Ｖ電源電圧が供給されていなければ、ソース機器がスタンバイ状態であるか、又は、完全電源オフ状態（完全電源オフ状態とは、制御部２４にも電源電圧が供給されない電源オフ状態の一状態である。）であると判断することができる。従って、＋５Ｖ電源電圧がソース機器から供給されていない場合に、ＡＶアンプ２０はＨＤＭＩデータをスルーする必要がないので、制御部２４は、ＡＶアンプ２０がスタンバイ状態に移行する際に、第１スタンバイ状態に移行させる。
【００３６】
制御部２４は、ＤＶＤプレーヤ１０Ａ、ＢＤプレーヤ１０ＢからＨＤＭＩデータ（ＴＭＤＳデータ）が供給されているか否かを判断することにより、ＤＶＤプレーヤ１０Ａ、ＢＤプレーヤ１０Ｂの電源状態を判断し、スタンバイ状態の時にＨＤＭＩデータをスルーする必要があるか否かを判断する。つまり、ＨＤＭＩデータが供給されていなければ、ソース機器がスタンバイ状態である、又は、完全電源オフ状態であると判断することができる。従って、ＨＤＭＩデータがソース機器から供給されていない場合に、ＡＶアンプ２０はＨＤＭＩデータをスルーする必要がないので、制御部２４は、ＡＶアンプ２０がスタンバイ状態に移行する際に、第１スタンバイ状態に移行させる。
【００３７】
制御部２４は、ＤＶＤプレーヤ１０Ａ、ＢＤプレーヤ１０Ｂから送信されるＣＥＣメッセージの内容に基づいて、スタンバイ状態の時にＨＤＭＩデータをスルーする必要があるか否かを判断する。つまり、ソース機器は、自身がアクティブ（アクティブとは、電源オン状態であり、ＨＤＭＩデータを送信可能な状態のことをいう。）であるか否かを示すＣＥＣメッセージ、又は、自身がコンテンツを再生中（ディスクから映像データ及び音声データを読み出して、ＨＤＭＩデータに変換し、ＨＤＭＩデータをＡＶアンプ２０に送信している状態。）であるか否かを示すＣＥＣメッセージを送信する。ユーザ操作によってインプットセレクタに選択されているＨＤＭＩ入力に接続されているソース機器から、アクティブである、又は、再生中であることを示すＣＥＣメッセージを受信した場合、制御部２４は、ＡＶアンプ２０がＨＤＭＩデータをスルーする必要があるので、制御部２４は、ＡＶアンプ２０がスタンバイ状態に移行する際に、第２スタンバイ状態に移行させる。一方、ユーザ操作によってインプットセレクタに選択されているＨＤＭＩ入力に接続されているソース機器から、アクティブでない、又は、再生中でないことを示すＣＥＣメッセージを受信した場合、ＡＶアンプ２０がＨＤＭＩデータをスルーする必要がないので、制御部２４は、ＡＶアンプ２０がスタンバイ状態に移行する際に、第１スタンバイ状態に移行させる。
【００３８】
表示部２７は、ＡＶアンプ２０の設定画面等を表示するものであり、ＬＣＤやＦＬ管等である。操作部２８は、ユーザ操作を受け付けるものであり、操作ボタンやリモコン等である。
【００３９】
ディスプレイ装置４０は、ＡＶアンプ２０からＨＤＭＩデータを受信し、ＨＤＭＩデータから元の映像データを生成し、表示部に表示させる。また、ＡＶアンプ２０がＨＤＭＩデータをディスプレイ装置４０にスルーする場合、ディスプレイ装置４０が内蔵するスピーカーから音声を出力する必要がある。従って、ディスプレイ装置４０は、ＨＤＭＩデータから元の音声データを生成し、増幅し、スピーカーから音声を出力する。
【００４０】
以下、本実施形態の動作を説明する。図３、図４は、制御部２４の処理を示すフローチャートである。図３に示すように、制御部２４は、ソース機器からＣＥＣメッセージを受信すると、ＣＥＣメッセージを送信したソース機器の物理アドレスを判別する（Ｓ１）。例えば、送信元のソース機器の物理アドレスはＣＥＣメッセージに含まれている。物理アドレスが［１．１．０．０］、［１．２．０．０］以外の場合、ＡＶアンプ２０のＨＤＭＩ入力に接続されている機器以外の機器からのＣＥＣメッセージである（例えば、ディスプレイ装置４０からのＣＥＣメッセージである）ので、処理を終了する。物理アドレスが［１．１．０．０］の場合、ＣＥＣメッセージを送信したソース機器は、ＡＶアンプ２０のＨＤＭＩ入力１に接続されていることが分かるので、メモリ２５内において変数ｎ（ＨＤＭＩ入力の番号を示す変数）を１に設定する（Ｓ２）。物理アドレスが［１．２．０．０］の場合、ＣＥＣメッセージを送信したソース機器は、ＡＶアンプ２０のＨＤＭＩ入力２に接続されていることが分かるので、メモリ２５内において変数ｎを２に設定する（Ｓ３）。
【００４１】
制御部２４は、受信したＣＥＣメッセージの内容をＳ４、Ｓ６、Ｓ８、Ｓ１０で判別する。まず、制御部２４は、ＣＥＣメッセージの内容が、ソース機器がアクティブであることを示すか否かを判断する（Ｓ４）。アクティブであることを示す場合（Ｓ４でＹＥＳ）、制御部２４は、ＨＤＭＩ入力ｎに接続されているソース機器がアクティブであることをメモリ２５に記憶させる（Ｓ５）。アクティブであることを示さない場合（Ｓ４でＮＯ）、制御部２４は、ＣＥＣメッセージの内容が、ソース機器がアクティブでないことを示すか否かを判断する（Ｓ６）。アクティブでないことを示す場合（Ｓ６でＹＥＳ）、制御部２４は、ＨＤＭＩ入力ｎに接続されているソース機器がアクティブでないことをメモリ２５に記憶させる（Ｓ７）。
【００４２】
アクティブでないことを示さない場合（Ｓ６でＮＯ）、制御部２４は、ＣＥＣメッセージの内容が、ソース機器がコンテンツを再生中であることを示すか否かを判断する（Ｓ８）。再生中であることを示す場合（Ｓ８でＹＥＳ）、制御部２４は、ＨＤＭＩ入力ｎに接続されているソース機器が再生中であることをメモリ２５に記憶させる（Ｓ９）。再生中であることを示さない場合（Ｓ８でＮＯ）、制御部２４は、ＣＥＣメッセージの内容が、ソース機器がコンテンツを再生中でないことを示すか否かを判断する（Ｓ１０）。再生中でないことを示す場合（Ｓ１０でＹＥＳ）、制御部２４は、ＨＤＭＩ入力ｎに接続されているソース機器が再生中でないことをメモリ２５に記憶させる（Ｓ１１）。
【００４３】
図４に示すように、制御部２４は、ユーザ操作によってスタンバイ状態に移行する指示が入力されたか否かを判断しており、入力されると、ＡＶアンプ２０の現在のインプットセレクタの状態を判別する（Ｓ２１）。インプットセレクタがＨＤＭＩ入力以外である場合、制御部２４は、ＡＶアンプ２０がＨＤＭＩデータをスルーする必要がないので、ＡＶアンプ２０を第１スタンバイ状態に移行させる（Ｓ２９）。つまり、制御部２４は、制御部２４以外の他の部分（ＨＤＭＩ受信部２１およびＨＤＭＩ送信部２２を含む）への電源電圧の供給を遮断する。
【００４４】
インプットセレクタがＨＤＭＩ入力１である場合、つまり、ＨＤＭＩ受信部２１がＨＤＭＩ入力１に接続されているソース機器からＨＤＭＩデータを受信するように設定されている場合、メモリ２５内において変数ｎ（ＨＤＭＩ入力の番号を示す変数）を１に設定する（Ｓ２２）。一方、インプットセレクタがＨＤＭＩ入力２である場合、つまり、ＨＤＭＩ受信部２１がＨＤＭＩ入力２に接続されているソース機器からＨＤＭＩデータを受信するように設定されている場合、メモリ２５内において変数ｎを２に設定する（Ｓ２３）。
【００４５】
制御部２４は、ＨＤＭＩ入力ｎに接続されているソース機器から、＋５Ｖ電源電圧が供給されているか否かを判断する（Ｓ２４）。＋５Ｖ電源電圧が供給されているか否かの情報は、ＨＤＭＩ受信部２１から制御部２４に送信される。＋５Ｖ電源電圧が供給されていない場合（Ｓ２４でＮＯ）、ＨＤＭＩ入力ｎに接続されているソース機器は、スタンバイ状態、又は、完全電源オフ状態であることを判断できる。従って、制御部２４は、ＡＶアンプ２０がＨＤＭＩ入力ｎに接続されているソース機器から送信されるＨＤＭＩデータをディスプレイ装置４０にスルーする必要がないので、ＡＶアンプ２０を第１スタンバイ状態に移行させる（Ｓ２９）。
【００４６】
＋５Ｖ電源電圧が供給されている場合（Ｓ２４でＹＥＳ）、制御部２４は、ＨＤＭＩ入力ｎに接続されているソース機器から、ＨＤＭＩデータが供給されているか否かを判断する（Ｓ２５）。ＨＤＭＩデータが供給されているか否かの情報は、ＨＤＭＩ受信部２１から制御部２４に送信される。ＨＤＭＩデータが供給されていない場合（Ｓ２５でＮＯ）、ＨＤＭＩ入力ｎに接続されているソース機器は、スタンバイ状態、又は、完全電源オフ状態であることを判断できる。従って、制御部２４は、ＡＶアンプ２０がＨＤＭＩ入力ｎに接続されているソース機器から送信されるＨＤＭＩデータをディスプレイ装置４０にスルーする必要がないので、ＡＶアンプ２０を第１スタンバイ状態に移行させる（Ｓ２９）。
【００４７】
ＨＤＭＩデータが供給されている場合（Ｓ２５でＹＥＳ）、制御部２４は、ＨＤＭＩ入力ｎに接続されているソース機器がアクティブであるか否かを、メモリ２５の記憶内容に基づいて判断する（Ｓ２６）。アクティブである場合（Ｓ２６でＹＥＳ）、ＨＤＭＩ入力ｎに接続されているソース機器は、電源オン状態であり、かつ、ＨＤＭＩデータを送信することを判断できる。従って、制御部２４は、ＡＶアンプ２０を第２スタンバイ状態に移行させる（Ｓ２８）。つまり、制御部２４は、ＨＤＭＩ受信部２１、ＨＤＭＩ送信部２２および制御部２４には電源電圧が供給され、ＨＤＭＩ受信部２１、ＨＤＭＩ送信部２２および制御部２４以外の部分には電源電圧が供給されないように電源部２８を制御する。そして、制御部２４は、ＨＤＭＩ受信部２１およびＨＤＭＩ送信部２２に、ソース機器から受信したＨＤＭＩデータをディスプレイ装置４０にスルーさせる。従って、ＡＶアンプ２０がスタンバイ状態であるにも関わらず、ソース機器からのＨＤＭＩデータをディスプレイ装置４０で再生することができる。
【００４８】
メモリ２５の記憶内容に基づいてソース機器がアクティブでないと判断された場合（Ｓ２６でＮＯ）、制御部２４は、ＨＤＭＩ入力ｎに接続されているソース機器が再生中であるか否かをメモリ２５の記憶内容に基づいて判断する（Ｓ２７）。再生中である場合（Ｓ２７でＹＥＳ）、ＨＤＭＩ入力ｎに接続されているソース機器は、電源オン状態であり、かつ、ＨＤＭＩデータを送信することを判断できる。従って、制御部２４は、ＡＶアンプ２０を第２スタンバイ状態に移行させる（Ｓ２８）。制御部２４は、ＨＤＭＩ受信部２１およびＨＤＭＩ送信部２２に、ソース機器から受信したＨＤＭＩデータをディスプレイ装置４０にスルーさせる。従って、ＡＶアンプ２０がスタンバイ状態であるにも関わらず、ソース機器からのＨＤＭＩデータをディスプレイ装置４０で再生することができる。
【００４９】
メモリ２５の記憶内容に基づいてソース機器が再生中でないと判断された場合（Ｓ２７でＮＯ）、制御部２４は、ＨＤＭＩ入力ｎに接続されているソース機器からＨＤＭＩデータが供給されないと判断する。従って、制御部２４は、ＡＶアンプ２０がＨＤＭＩ入力ｎに接続されているソース機器から送信されるＨＤＭＩデータをディスプレイ装置４０にスルーする必要がないので、ＡＶアンプ２０を第１スタンバイ状態に移行させる（Ｓ２９）。
【００５０】
以上のように、本実施形態によると、インプットセレクタに選択されているＨＤＭＩ入力に接続されているソース機器について、ＨＤＭＩデータをスルーする必要があるか否かを判断し、その判断結果に基づいて、第１スタンバイ状態、または、第２スタンバイ状態に移行するので、可能な限り消費電力を低減しながら、ＨＤＭＩデータをスルーする必要があるときのみ第２スタンバイ状態に移行し、ＨＤＭＩデータをスルーすることができる。
【００５１】
以上、本発明の好ましい実施形態を説明したが、本発明はこれらの実施形態には限定されない。ＨＤＭＩの代わりに、ＤＶＩ、ＩＥＥＥ１３９４、ＬＡＮ、ＵＳＢ等の他の通信規格が適用されてもよい。また、コンテンツ送信装置は、コンテンツファイルを記録するＨＤＤ等を備えるＨＤＤレコーダ、ＴＶチューナ、ゲーム機等でもよい。また、ＡＶアンプの上記動作をコンピュータに実行させるためのプログラムおよびこれを記録した記録媒体という形態で提供されてもよい。また、ＡＶアンプの上記動作の一部のみのプログラムを、ＡＶアンプやディスプレイ装置にファームウェアアップデートという形態で提供されてもよい。さらには、ＡＶアンプの上記動作の一部のみのプログラムが格納されたＨＤＭＩ送信部、ＨＤＭＩ受信部、制御部などの電子部品という形態で提供されてもよい。
【産業上の利用可能性】
【００５２】
本発明は、ＡＶアンプ等に好適に採用され得る。
【符号の説明】
【００５３】
１０Ａ          ＤＶＤプレーヤ
１０Ｂ          ＢＤプレーヤ
２０            ＡＶアンプ
２１            ＨＤＭＩ受信部
２２            ＨＤＭＩ送信部
２３            音声処理部
２４            制御部
２５            メモリ
２６            操作部
２７            表示部
２８            電源部
２９Ａ          ＨＤＭＩ入力１
２９Ｂ          ＨＤＭＩ入力２
２９Ｃ          ＨＤＭＩ出力１
４０            ディスプレイ装置
【図１】
2011087066.tif 000003
【図２】
2011087066.tif 000004
【図３】
2011087066.tif 000005
【図４】
2011087066.tif 000006